(57)【要約】【課題】公衆に対し、インターネットサービスに加えてアプリケーションソフトウエアの利用を即時に無料で提供する。【解決手段】管理サーバＳから広告コンテンツをダウンロードする管理制御部３２と、インターネット利用部３３、アプリケーション利用部３４と、管理サーバＳからの広告コンテンツを表示する広告表示部３５と、稼動時間に応じて表示画面上のメイン領域Ｍに対する広告領域Ｂの面積比率を制御する表示制御部３６とを設ける。【選択図】図３
2014049071.tif 000002
【特許請求の範囲】
【請求項１】
インターネットを介して管理サーバから広告コンテンツをダウンロードする管理制御部と、利用者の操作により任意のウエブサーバからインターネット情報をダウンロードするインターネット利用部と、利用者の操作によりアプリケーションソフトウエアを利用するアプリケーション利用部と、利用者の操作により管理サーバからの広告コンテンツを表示画面に表示する広告表示部と、前記インターネット利用部またはアプリケーション利用部の稼動時間に応じて表示画面上のメイン領域に対する広告領域の面積比率を制御する表示制御部とを備えてなり、前記管理制御部は、利用者の操作により、前記インターネット利用部、アプリケーション利用部、広告表示部を選択して稼動させることを特徴とする公衆用のパーソナルコンピュータ端末。
【請求項２】
前記表示制御部は、前記インターネット利用部またはアプリケーション利用部の稼動が一定時間を経過するごとに、表示画面上のメイン領域を減縮して広告領域を拡大させることを特徴とする請求項１記載の公衆用のパーソナルコンピュータ端末。
【請求項３】
前記表示制御部は、利用者により表示画面上の広告バナーが指定されると、指定された広告バナーに対応する広告コンテンツを一定時間だけ表示画面に表示することを特徴とする請求項１または請求項２記載の公衆用のパーソナルコンピュータ端末。
【請求項４】
前記表示制御部は、広告コンテンツを一定時間だけ表示すると、表示画面上のメイン領域を復旧させることを特徴とする請求項３記載の公衆用のパーソナルコンピュータ端末。
【請求項５】
前記管理制御部は、管理サーバに対して稼動実績データをアップロードすることを特徴とする請求項１ないし請求項４のいずれか記載の公衆用のパーソナルコンピュータ端末。
【請求項６】
前記管理制御部は、利用者の入力操作を待つ待機時間中に特定の広告主の広告コンテンツをポータル画面として表示することを特徴とする請求項１ないし請求項５のいずれか記載の公衆用のパーソナルコンピュータ端末。
【発明の詳細な説明】
【技術分野】
【０００１】
この発明は、たとえば空港、駅、ホテルのロビーなどの公共の場所で、不特定の公衆の使用に供することができる公衆用のパーソナルコンピュータ端末に関する。
【背景技術】
【０００２】
インターネット技術の普及に伴い、公共の場所で、不特定の公衆が手軽に使用することができるインターネット端末が提案されている。
【０００３】
従来のインターネット端末は、利用者がインターネットサービスを利用しようとすると、あらかじめ管理サーバ上に準備されている広告コンテンツを閲覧させ、その閲覧が終了して始めて希望のウエブサイトへのアクセスを許容するように構成されている（たとえば特許文献１）。また、インターネット端末にコイン計数機を付属させることにより、必要な金額のコイン投入を条件としてインターネットサービスを利用可能とするインターネット端末も実用されている（特許文献２）。
【先行技術文献】
【特許文献】
【０００４】
【特許文献１】特開２００８−６０９３０号公報
【特許文献２】特開２００４−２１３５８５号公報
【発明の概要】
【発明が解決しようとする課題】
【０００５】
かかる従来技術の前者によるときは、インターネット端末は、あらかじめ指定されている広告コンテンツの閲覧が終了して始めて利用者が希望するインターネットサービスを提供することができるため、サービスの開始が迅速に行われないという問題があった。また、後者によるときは、コイン投入が前提であるため、利用者のインセンティブが阻害され、利用効率が低下しがちであるという問題が避けられない。加えて、これらの従来技術は、いずれもインターネットサービス以外のソフトウエアサービスができないため、設備全体としての利用効率を向上させることが難しいという問題もある。
【０００６】
そこで、この発明の目的は、かかる従来技術の問題に鑑み、インターネット利用部、アプリケーション利用部に加えて表示制御部を組み込むことによって、指定の広告コンテンツの事前の閲覧やコイン投入を前提とすることなく、インターネットサービスに加えて各種のアプリケーションソフトウエアの利用が即時に無料で可能であり、利用効率の大幅な向上が期待できる公衆用のパーソナルコンピュータ端末を提供することにある。
【課題を解決するための手段】
【０００７】
かかる目的を達成するためのこの発明の構成は、インターネットを介して管理サーバから広告コンテンツをダウンロードする管理制御部と、利用者の操作により任意のウエブサーバからインターネット情報をダウンロードするインターネット利用部と、利用者の操作によりアプリケーションソフトウエアを利用するアプリケーション利用部と、利用者の操作により管理サーバからの広告コンテンツを表示画面に表示する広告表示部と、インターネット利用部またはアプリケーション利用部の稼動時間に応じて表示画面上のメイン領域に対する広告領域の面積比率を制御する表示制御部とを備えてなり、管理制御部は、利用者の操作により、インターネット利用部、アプリケーション利用部、広告表示部を選択して稼動させることをその要旨とする。
【０００８】
なお、表示制御部は、インターネット利用部またはアプリケーション利用部の稼動が一定時間を経過するごとに、表示画面上のメイン領域を減縮して広告領域を拡大させることができる。
【０００９】
また、表示制御部は、利用者により表示画面上の広告バナーが指定されると、指定された広告バナーに対応する広告コンテンツを一定時間だけ表示画面に表示してもよく、広告コンテンツを一定時間だけ表示すると、表示画面上のメイン領域を復旧させてもよい。
【００１０】
なお、管理制御部は、管理サーバに対して稼動実績データをアップロードすることができ、利用者の入力操作を待つ待機時間中に特定の広告主の広告コンテンツをポータル画面として表示することができる。
【発明の効果】
【００１１】
かかる発明の構成によるときは、管理制御部は、たとえば電源投入と同時に自動起動し、管理サーバから最新の広告コンテンツを一括ダウンロードして記憶する。なお、ここでいう広告コンテンツとは、広告表示部の表示対象となる広告主ごとのコンテンツ情報であって、商品広告や製品情報だけでなく、企業情報、求人情報、購買情報などを含んでいてもよく、動画、静止画の一方または双方を含んでいてもよい。また、管理制御部は、利用者の操作により、インターネット利用部、アプリケーション利用部、広告表示部のいずれかを選択して稼動させ、利用者の要求に応えることができる。ただし、広告コンテンツを提供する広告主は、広告コンテンツを利用者に閲覧させることにより広告効果が得られるため、それに対する対価（広告料）を負担する。したがって、利用者は、パーソナルコンピュータ端末を無料で即時に利用することができ、利用効率の向上が期待できる。
【００１２】
インターネット利用部は、利用者の操作により、インターネットを介して任意のウエブサーバにアクセスし、任意のインターネット情報をダウンロードして利用することができる。また、アプリケーション利用部は、利用者の操作により、たとえばマイクロソフト社のＷｏｒｄ、Ｅｘｃｅｌ、Ｐｏｗｅｒ  Ｐｏｉｎｔなどのような任意のアプリケーションソフトウエアを稼動させて利用することができる。ただし、このようなアプリケーションソフトウエアの処理対象データは、キーボードなどの入力機器や、ＵＳＢメモリ、ＣＤ、ＤＶＤなどの補助メモリを介して利用者自身が入力させるものとし、処理後のデータは、プリンタ装置に印字出力させたり、ＵＳＢメモリ、ＣＤ、ＤＶＤなどの補助メモリに出力させたりして利用者自身が持ち去るものとする。そこで、利用者は、アプリケーション利用部を介し、インターネットサービス以外の任意のソフトウエアサービスを亨受することができ、利用効率をさらに向上させることができる。
【００１３】
表示制御部は、インターネット利用部またはアプリケーション利用部の稼動時間に応じて、表示画面上のメイン領域に対する広告領域の面積比率を変更制御する。ただし、ここでいうメイン領域とは、稼働中のインターネット利用部またはアプリケーション利用部による表示情報の表示領域であり、広告領域とは、表示画面上のメイン領域以外の表示領域であって、たとえば特定の広告コンテンツにリンクする１または２以上の広告バナーの表示領域である。なお、管理サーバからの広告コンテンツには、広告主ごとの広告バナー、広告コンテンツに加えて、これらの間のリンク情報が含まれるものとする。
【００１４】
表示制御部は、たとえばインターネット利用部またはアプリケーション利用部の稼動が一定時間を経過するごとに、表示画面上のメイン領域を減縮させて広告領域を拡大させることにより、利用者に対して広告コンテンツの閲覧を強制し、広告効果を確実に実現することができる。ただし、表示画面上におけるメイン領域、広告領域は、任意の形態に区分することができ、たとえば表示画面の四周の周縁部の一部または全部に広告領域を帯状に配置して残りの領域をメイン領域とし、インターネット利用部またはアプリケーション利用部の稼動時間の経過とともに、メイン領域を減縮して広告領域を拡大させ、メイン領域に対する広告領域の面積比率を増大させることができる。
【００１５】
表示制御部は、表示画面の広告領域に表示されている特定の広告バナーが利用者によって指定されると、その広告バナーにリンクしている広告コンテンツを一定時間だけ表示画面の全領域に表示し、利用者に対して閲覧を強制することができる。また、表示制御部は、このようにして広告コンテンツを強制的に閲覧させると、表示画面上のメイン領域を初期値に復旧させ、インターネット利用部またはアプリケーション利用部による表示情報を再びメイン領域に支障なく表示させる。
【００１６】
管理制御部は、管理サーバに対して稼動実績データをアップロードすることができる。ただし、稼動実績データは、たとえば利用者によるパーソナルコンピュータ端末の利用時間、インターネット利用部、アプリケーション利用部、広告表示部の各稼動時間、広告主ごとの広告コンテンツの閲覧時間などの実績データが含まれるものとし、管理サーバは、これらの稼動実績データを分析し、その後のパーソナルコンピュータ端末の運用に役立てることができる。
【００１７】
管理制御部は、待機時間中に特定の広告主の広告コンテンツをポータル画面として繰り返し連続的に表示することにより、利用者がいない待機時間中においても、表示画面を広告媒体として有効に利用することができる。ただし、ここでいう特定の広告主とは、あらかじめ定める１または２以上の広告主をいう。
【図面の簡単な説明】
【００１８】
【図１】使用状態ブロック系統図
【図２】使用状態構成図
【図３】全体構成ブロック系統図
【図４】プログラムフローチャート（１）
【図５】表示画面図（１）
【図６】表示画面図（２）
【図７】プログラムフローチャート（２）
【図８】表示画面図（３）
【図９】表示画面図（４）
【図１０】表示画面図（５）
【図１１】表示画面図（６）
【図１２】プログラムフローチャート（３）
【図１３】表示画面図（７）
【図１４】表示画面図（８）
【図１５】表示画面図（９）
【図１６】プログラムフローチャート（４）
【図１７】表示画面図（１０）
【図１８】表示画面図（１１）
【図１９】表示画面図（１２）
【図２０】表示画面図（１３）
【図２１】他の実施の形態を示す表示画面図
【図２２】他の実施の形態を示す表示画面説明図（１）
【図２３】他の実施の形態を示す表示画面説明図（２）
【発明を実施するための形態】
【００１９】
以下、図面を以って発明の実施の形態を説明する。
【００２０】
公衆用のパーソナルコンピュータ端末（以下、単に端末という）１０は、コンピュータ本体１１に対し、表示装置１２、プリンタ装置１３、入力装置１４、インタフェースボックス１５などの周辺機器を組み合わせてなる（図１）。
【００２１】
コンピュータ本体１１は、インターネットＮを介し、管理サーバＳに対して双方向にアクセスすることができる。なお、図１に拘らず、管理サーバＳは、任意の数の端末１０、１０…に対応しているものとする。
【００２２】
コンピュータ本体１１は、一般的なパーソナルコンピュータである。コンピュータ本体１１は、図示しない中央演算装置、主メモリ、補助メモリを備えており、インターネットＮや、外部の周辺機器に対するインタフェース機能を内蔵している。
【００２３】
表示装置１２は、たとえば液晶ディスプレイであり、プリンタ装置１３は、カラーまたはモノクロのプリンタである。入力装置１４は、キーボードやマウスの他、表示装置１２の表示画面に一体に装着するタッチパネルを含む。インタフェースボックス１５は、ＵＳＢ端子や、ＣＤドライブ、ＤＶＤドライブなどを内蔵し、ＵＳＢメモリ、ＣＤ、ＤＶＤなどの補助メモリからのデータをコンピュータ本体１１に入力させ、コンピュータ本体１１からのデータをＵＳＢメモリ、ＣＤ、ＤＶＤなどの補助メモリに出力することができる。
【００２４】
端末１０は、利用者ＭＡが着座可能な椅子２１付きのスタンド２２に組み込んで、任意の公共の場所に設置することができる（図２）。スタンド２２の上部には、表示装置１２用の斜めの収納パネル２２ａが形成されており、収納パネル２２ａの下方には、キーボードなどを置く小形の操作卓２２ｂが付設されている。また、スタンド２２の背面側には、コンピュータ本体１１、プリンタ装置１３、インタフェースボックス１５などを収納する図示しない収納ラック用の固定ブラケット２２ｃが形成されている。なお、椅子２１、スタンド２２は、共通のベース２３上に立設されている。
【００２５】
図１、図２において、利用者ＭＡは、表示装置１２、入力装置１４に対してアクセス可能であるが、コンピュータ本体１１は、利用者ＭＡがアクセスできないように、物理的に隠蔽されているものとする。また、プリンタ装置１３は、印刷済みの文書の排出部に対してのみ利用者ＭＡがアクセス可能であり、インタフェースボックス１５は、利用者ＭＡが持参するＵＳＢメモリ、ＣＤ、ＤＶＤなどの補助メモリの装着部に対してのみ利用者ＭＡがアクセス可能である。
【００２６】
コンピュータ本体１１には、オペレーティングシステム３１とともに、ソフトウエアによる管理制御部３２、インターネット利用部３３、アプリケーション利用部３４、広告表示部３５、表示制御部３６が搭載されている（図３）。管理制御部３２は、ブラウザを介し、インターネットＮ上の管理サーバＳにアクセスすることができ、インターネット利用部３３は、ブラウザを介し、インターネットＮ上の任意のウエブサーバにアクセスすることができる。アプリケーション利用部３４は、コンピュータ本体１１にあらかじめ搭載されている任意のアプリケーションソフトウエアを動作させて利用することができ、広告表示部３５は、管理サーバＳからダウンロードされた広告コンテンツを表示装置１２の表示画面上に表示することができる。表示制御部３６は、インターネット利用部３３、アプリケーション利用部３４のいずれかの稼動時間に応じて、表示画面上のメイン領域に対する広告領域の面積比率を制御する。
【００２７】
管理制御部３２の動作は、たとえば図４のプログラムフローチャートのとおりである。
【００２８】
プログラムは、端末１０の電源投入によって起動され、まず、管理サーバＳにアクセスして、管理サーバＳが保有している広告コンテンツの更新情報を問い合わせる（図４のプログラムステップ（１）、以下、単に（１）のように記す）。そこで、管理サーバＳから正しく応答があれば（２）、更新情報をダウンロードして取り込み（３）、さらに、前回（前日）の稼動時における端末１０の稼動実績データを管理サーバＳにアップロードする（４）。
【００２９】
つづいて、プログラムは、端末１０内に残っている前回の稼働時における利用者ＭＡの操作履歴を消去する（５）。その後、プログラムは、表示装置１２の表示画面の全域に図５のポータル画面を表示し（６）、利用者ＭＡによる入力操作を待って待機する（（７）、（６）、（７））。そこで、利用者ＭＡがポータル画面上のタッチパネルに触れるか、キーボードの任意のキーを押すか、マウスをクリックするかなどの何らかの入力操作をすると（７）、プログラムは、図６のメニュー画面を表示画面に表示する（８）。
【００３０】
なお、図５のポータル画面は、待機時間中に表示する１または２以上の特定の広告主の広告コンテンツを表示画面の大部分の領域に繰り返し連続的に表示するとともに、入力操作を促すガイドメッセージを下段部分に表示している。一方、図６のメニュー画面は、広告表示部３５による広告コンテンツの閲覧のためのカテゴリ選択ボタンＰ1 、Ｐ1 …が表示画面の大部分の領域に配列されている他、右端の縦一列に機能選択ボタンＰ2 、Ｐ2 …が配置されている。ただし、機能選択ボタンＰ2 、Ｐ2 …は、最上段のインターネット利用部３３の選択用、次段のアプリケーション利用部３４の選択用以外は、この発明に直接的な関係がないため、説明を省略する。
【００３１】
その後、プログラムは、図６のメニュー画面上において、カテゴリ選択ボタンＰ1 、Ｐ1 …、機能選択ボタンＰ2 、Ｐ2 …のいずれかが選択操作されることを待って待機し（（９）、（１０）、（９））、所定の一定時間内に選択操作されないときは、ポータル画面の表示ステップに戻る（（９）、（１０）、（６）、（７）、（６））。
【００３２】
また、所定の一定時間内に選択操作がなされると（９）、インターネット利用部３３の選択用の「インターネット」の機能選択ボタンＰ2 の場合は（１１）、インターネット利用部３３を起動し（１２）、アプリケーション利用部３４の選択用の「ＰＣソフト」の機能選択ボタンＰ2 の場合は（１３）、アプリケーション利用部３４を起動し（１４）、カテゴリ選択ボタンＰ1 、Ｐ1 …のいずれかの場合は（（１１）、（１３））、広告表示部３５を起動する（１５）。なお、その後のプログラムは、プログラムステップ（１２）、（１４）、（１５）で起動されるインターネット利用部３３、アプリケーション利用部３４、広告表示部３５のいずれかにコントロールを移し、その終了とともに、利用者ＭＡの操作履歴を消去し（５）、元のポータル画面を表示して次の利用者ＭＡの入力操作を待って待機する（（６）、（７）、（６））。
【００３３】
インターネット利用部３３の作動は、たとえば図７のプログラムフローチャートのとおりである。
【００３４】
プログラムは、図６のメニュー画面において、インターネット利用部３３の選択用の「インターネット」の機能選択ボタンＰ2 を押すことにより図４のプログラムステップ（１２）を介して起動されると、専用のブラウザ用の表示画面として、操作パネルＣを有する図８の表示画面を表示する（図７のプログラムステップ（１）、以下、単に（１）のように記す）。ただし、図８の表示画面は、操作パネルＣの他、ブラウザ用のメイン領域Ｍと、広告バナーＢ1 、Ｂ1 …用の広告領域Ｂとを含み、操作パネルＣには、通常のインターネット用の操作ボタンＣ1 、Ｃ1 …、アクセス中のウエブサイトのＵＲＬ表示欄Ｃ2 、検索時の検索ワード入力欄Ｃ3 などが含まれている。なお、操作パネルＣ内の「ＱＲコード」の操作ボタンＣ1 を押すと、ＵＲＬ表示欄Ｃ2 に表示中のＵＲＬを２次元バーコードのＱＲコード（登録商標、以下同じ）に変換してメイン領域Ｍの一部に表示し、たとえば携帯電話のカメラ機能を介して簡単に読み取ることができる。
【００３５】
ただし、利用者ＭＡによる機能選択ボタンＰ2 、操作ボタンＣ1 などの操作は、その表現に拘らず、押す、クリックする、タッチするなどのいずれであってもよいものとする。
【００３６】
つづいて、プログラムは、現在時刻をインターネット利用の開始時刻として記憶する（２）。プログラムは、その後の利用者ＭＡの操作が検索であれば（３）、インターネットＮ上のインターネット情報の検索動作を実行するとともに（４）、図８の表示画面の広告領域Ｂ内の広告バナーＢ1 、Ｂ1 …を検索時の検索ワードに適合する広告主のものに変更した上（５）、検索結果のウエブページ情報を表示画面のメイン領域Ｍに表示する（７）。また、利用者ＭＡの操作が検索でないときは（３）、利用者ＭＡがＵＲＬ表示欄Ｃ2 に直接入力して指定するＵＲＬに対応するウエブページ情報を表示画面のメイン領域Ｍに表示する（（６）、（７））。
【００３７】
その後、プログラムは、利用者ＭＡにより何らの操作もされずに一定時間が経過すると（（８）、（９））、ブラウザ用の表示画面を閉じて（１０）、コントロールを図４のプログラムステップ（１２）、（５）〜（７）に戻して表示画面を図５のポータル画面とする。また、プログラムは、操作パネルＣ内のインターネット用の操作ボタンＣ1 、Ｃ1 …などを正規に操作する限り（（８）、（１１）、（１２）、（８））、その操作に従ってインターネットＮ上の任意のウエブサーバにアクセスし、所定のインターネット情報をダウンロードして表示画面のメイン領域Ｍに表示させることができる。ただし、操作パネルＣの「終わる」の操作ボタンＣ1 を操作すると、プログラムステップ（１０）にジャンプしてインターネット利用を終了させる。なお、ウエブサーバからのインターネット情報は、プリンタ装置１３により随時印字出力し、インタフェースボックス１５に装着する補助メモリに出力して記憶させることができる。
【００３８】
そこで、以上のようにしてインターネット情報を利用しているとき（（８）、（１１）、（１２）、（８））、一定時間が経過すると（１２）、プログラムは、表示画面のメイン領域Ｍを減縮して広告領域Ｂを拡大する（（１３）、図９）。ちなみに、図９の表示画面は、図８の表示画面に比して、左端の縦一列の符号Ａ、Ｂ、Ｃの広告バナーＢ1 、Ｂ1 …相当だけ広告領域Ｂが拡大しており、その分だけメイン領域Ｍが減縮している。また、さらに一定時間が経過すると（１２）、プログラムは、表示画面のメイン領域Ｍをさらに減縮して広告領域Ｂを拡大する（（１３）、図１０）。図１０の表示画面は、図９のそれに比して、上段中央部の符号Ｈ、Ｉの広告バナーＢ1 、Ｂ1 相当だけ広告領域Ｂが拡大しており、その分だけメイン領域Ｍが減縮している。ただし、図８〜図１０において、広告領域Ｂ内の広告バナーＢ1 、Ｂ1 …は、図示の個数を固定表示してもよく、自動的に、または利用者ＭＡの指示により、図示以上の個数をスクロールさせながら表示してもよい。
【００３９】
このようにして、インターネット情報の利用を続けているとき（（８）、（１１）、（１２）、（８））、一定時間の経過ごとに表示画面のメイン領域Ｍが段階的に減縮されて広告領域Ｂが段階的に拡大されると（（１２）、（１３））、利用者ＭＡは、表示画面の広告領域Ｂ内の任意の広告バナーＢ1 を押すかクリックする、タッチするなどして指定することにより（１４）、その広告バナーＢ1 にリンクする広告コンテンツをポップアップして表示画面に表示させ（（１５）、図１１）、広告コンテンツを閲覧することができる。なお、図１１の表示画面において、右端の縦一列には、上から順に、この広告コンテンツが属するカテゴリの表示Ｄ1 、この広告コンテンツの連絡先に電話発信するための操作ボタンＤ2 、この広告コンテンツの連絡先を示すＱＲコードの表示Ｄ3 、この広告コンテンツの他のページを閲覧するための上下の操作ボタンＤ4 、元の画面に戻るための操作ボタンＤ5 が配列されている。
【００４０】
プログラムは、図１１の広告コンテンツを表示した後（１５）、一定時間の経過を待って（１６）、先きにプログラムステップ（２）において記憶した利用開始時刻を更新するとともに（１７）、表示画面のメイン領域Ｍ、広告領域Ｂを元の図８の初期値に復旧させ、インターネット情報の利用をさらに継続させる（（１７）、（８））。すなわち、プログラムは、図１１の広告コンテンツの閲覧を一定時間だけ利用者ＭＡに強制すると（１６）、それを条件として表示画面のメイン領域Ｍを復旧させることができる（１７）。
【００４１】
次に、アプリケーション利用部３４は、たとえば図１２のプログラムフローチャートのとおりである。
【００４２】
プログラムは、図６のメニュー画面において、アプリケーション利用部３４の選択用の「ＰＣソフト」の機能選択ボタンＰ2 を押すことにより図４のプログラムステップ（１４）を介して起動されると、コンピュータ本体１１に内蔵されているアプリケーションソフトウエアのいずれかを選択するために、操作パネルＣを有する図１３の表示画面を表示する（図１２のプログラムステップ（１）、以下、単に（１）のように記す）。
【００４３】
ただし、図１３の表示画面は、操作パネルＣの他、ガイドメッセージ用のメイン領域Ｍと、広告バナーＢ1 、Ｂ1 …用の広告領域Ｂとを含み、操作パネルＣには、アプリケーションソフトウエアの選択ボタンＣ4 、Ｃ4 …の他、各種の操作ボタンＣ5 、Ｃ5 …などが含まれている。そこで、操作パネルＣ内のたとえば「ワード」の選択ボタンＣ4 を押すと、Ｗｏｒｄプログラムが起動するとともに（２）、操作パネルＣを有する図１４の表示画面が表示される。なお、図１４の表示画面のメイン領域Ｍには、Ｗｏｒｄプログラムの画面が開かれ、操作パネルＣ内の選択ボタンＣ4 、Ｃ4 …は、「ワード」の選択ボタンＣ4 が「ワードを終了」の操作ボタンＣ5 に変更され、その他は、無効となる。
【００４４】
つづいて、プログラムは、現在時刻をアプリケーションソフトウエア利用の開始時刻として記憶する（３）。また、プログラムは、その後の利用者ＭＡの操作により、メイン領域Ｍに開いたアプリケーションソフトウエアによって処理すべきデータファイルがたとえば「ファイル操作」の操作ボタンＣ5 を介して指定されると（４）、そのデータファイルを開いてメイン領域Ｍに表示する（５）。なお、このときのデータファイルは、利用者ＭＡがインタフェースボックス１５に装着するＵＳＢメモリ、ＣＤ、ＤＶＤなどの補助メモリ内の既製のファイルであってもよく、キーボードを介して利用者ＭＡが新規に入力するデータのファイルであってもよい。
【００４５】
その後、プログラムは、利用者ＭＡにより何らの操作もされずに一定時間が経過すると（（８）、（９））、そのままアプリケーションソフトウエアを停止させて（１０）、コントロールを図４のプログラムステップ（１４）、（５）〜（７）に戻して表示画面を図５のポータル画面とする。また、プログラムは、メイン領域Ｍに表示されているアプリケーションソフトウエアを正規に操作する限り（（８）、（１１）、（１２）、（８））、その操作に従ってアプリケーションソフトウエアを作動させ、指定のデータファイルのデータを順次適切にデータ処理することができる。ただし、操作パネルＣの「ワードを終了」の操作ボタンＣ5 を押すと、プログラムステップ（１０）にジャンプしてアプリケーションソフトウエアの利用を終了させることができる。
【００４６】
なお、このようにして「ワードを終了」の操作ボタンＣ5 を介してアプリケーションソフトウエアの利用を人為的に終了させるとき、プログラムは、処理済みのデータをインタフェースボックス１５に装着中の補助メモリの指定ファイルに出力して記憶させ、または、プリンタ装置１３に印字出力させることの一方または双方を実行するように利用者ＭＡに指示するものとする。そこで、利用者ＭＡは、処理済みのデータファイルが記憶された補助メモリをインタフェースボックス１５から外して持ち帰ることができ、処理済みのデータの印字結果を持ち帰ることができる。
【００４７】
以上のようにしてアプリケーションソフトウエアを利用しているとき（（８）、（１１）、（１２）、（８））、一定時間が経過すると（１２）、プログラムは、表示画面のメイン領域Ｍを減縮して広告領域Ｂを拡大する（（１３）、図１５）。図１５の表示画面は、図１４の表示画面に比して、左端の縦一列の符号Ａ、Ｂ、Ｃの広告バナーＢ1 、Ｂ1 …相当だけ広告領域Ｂが拡大しており、その分だけメイン領域Ｍが減縮している。また、さらに一定時間が経過すると（１２）、プログラムは、表示画面のメイン領域Ｍをさらに減縮して広告領域Ｂを拡大する（１３）。ただし、このときの表示画面は、図１０に準ずるものとし、上段中央部の符号Ｈ、Ｉの広告バナーＢ1 、Ｂ1 相当だけ広告領域Ｂが拡大し、その分だけメイン領域Ｍが減縮している。
【００４８】
このようにして、アプリケーションソフトウエアの利用を続けているとき（（８）、（１１）、（１２）、（８））、一定時間の経過ごとに表示画面のメイン領域Ｍが段階的に減縮され、広告領域Ｂが段階的に拡大されると（（１２）、（１３））、利用者ＭＡは、表示画面の広告領域Ｂ内の任意の広告バナーＢ1 を指定することにより（１４）、その広告バナーＢ1 にリンクする広告コンテンツをポップアップして表示画面に表示させ（（１５）、図１１）、それを閲覧することができる。
【００４９】
また、プログラムは、図１１の広告コンテンツを表示した後（１５）、一定時間の経過を待って（１６）、先きにプログラムステップ（３）において記憶した利用開始時刻を更新するとともに（１７）、表示画面のメイン領域Ｍ、広告領域Ｂを元の図１４の初期値に復旧させ、アプリケーションソフトウエアの利用をさらに継続させる（（１７）、（８））。すなわち、プログラムは、図１１の広告コンテンツの閲覧を一定時間だけ利用者ＭＡに強制すると（１６）、それを条件として表示画面のメイン領域Ｍを復旧させることができる（１７）。
【００５０】
次に、広告表示部３５の作動は、たとえば図１６のプログラムフローチャートのとおりである。
【００５１】
プログラムは、図６のメニュー画面において、広告コンテンツの閲覧用のカテゴリ選択ボタンＰ1 、Ｐ1 …のいずれかを押すとことにより図４のプログラムステップ（１５）を介して起動されると、押されたカテゴリ選択ボタンＰ1 に対応する大分類（カテゴリ）に属するすべての広告バナーＢ1 、Ｂ1 …を表示画面に配列して表示する（図１６のプログラムステップ（１）、以下、単に（１）のように記す。図１７、図１８）。
【００５２】
ただし、図１７は、図６の「求人」のカテゴリ選択ボタンＰ1 に対応しており、図１８は、「ビジネス／相談」のカテゴリ選択ボタンＰ1 に対応している。なお、図１７、図１８の表示画面は、それぞれ図６の右端と同様の機能選択ボタンＰ2 、Ｐ2 …が右端に縦一列に配列されており、広告バナーＢ1 、Ｂ1 …と機能選択ボタンＰ2 、Ｐ2 …との間には、大分類（カテゴリ）の表示Ｄ1 、大分類中の小分類の選択ボタンＤ6 、Ｄ6 …、表示画面内の広告バナーＢ1 、Ｂ1 …をスクロールして表示する上下の操作ボタンＤ4 、元の画面に戻るための操作ボタンＤ5 が縦一列に配列されている。そこで、図１７または図１８の表示画面において、小分類の選択ボタンＤ6 、Ｄ6 …のいずれかを押して小分類を選択すると（２）、プログラムは、選択された小分類に属する広告バナーＢ1 、Ｂ1 …だけを抽出して表示する（図１９）。ただし、図１９は、図１８の表示画面において、「法律事務所」の選択ボタンＤ6 を押したときに対応している。
【００５３】
図１９において、任意の広告バナーＢ1 を指定して指定広告を選択すると（３）、プログラムは、指定された広告バナーＢ1 に対応する指定広告の広告コンテンツを表示画面に表示して閲覧させる（（４）、図１１）。ただし、図１１の広告コンテンツを表示させるには、図１９の表示画面上の広告バナーＢ1 を指定するだけでなく、図１７、図１８の表示画面上の広告バナーＢ1 を指定してもよいものとする。
【００５４】
その後、プログラムは、図１７〜図１９の表示画面上の広告バナーＢ1 、Ｂ1 …、選択ボタンＤ6 、Ｄ6 …、操作ボタンＤ4 、Ｄ5 、図１１の表示画面上の操作ボタンＤ4 、Ｄ5 などを適切に操作する限り、任意の広告コンテンツを順次選択して表示し、利用者ＭＡに閲覧させることができる（（５）、（８）、（１１）、（５））。一方、このような表示操作がなされないと（５）、不操作の時間計測用のタイマカウントを開始させ（６）、一定時間の経過により（７）、コントロールを図４のプログラムステップ（１５）、（５）〜（７）に戻して表示画面を図５のポータル画面とする。また、プログラムは、図１１の表示画面内の電話発信用の操作ボタンＤ2 が操作されたときは（（５）、（８））、表示中の広告コンテンツの連絡先に電話発信し（９）、必要な通話をすることができる（１０）。
【００５５】
なお、図１７〜図１９の各表示画面には、図６のメニュー画面と同様に、機能選択ボタンＰ2 、Ｐ2 …が右端に縦一列に配置されている。そこで、図１７〜図１９の表示画面において、「インターネット」または「ＰＣソフト」の機能選択ボタンＰ2 を押すと、その時点で図１６のプログラムが中断され、図４のプログラムステップ（１２）またはプログラムステップ（１４）にコントロールが移るものとする。また、図１６のプログラムステップ（４）、（１１）を介して表示される図１１の表示画面は、図１７〜図１９と同様の機能選択ボタンＰ2 、Ｐ2 …を右端に追加して、図２０の表示画面に変更してもよい。
【００５６】
以上の説明において、図７のプログラムステップ（１１）〜（１７）は、インターネットの利用時間、すなわちインターネット利用部３３の稼働時間に応じて、表示画面上のメイン領域Ｍを減縮して広告領域Ｂを拡大し、結果的に、メイン領域Ｍに対する広告領域Ｂの面積比率を増大させるように変更制御するとともに、利用者ＭＡが指定する広告バナーＢ1 に対応する広告コンテンツを一定時間だけ強制的に閲覧させている。また、図１２のプログラムステップ（１１）〜（１７）は、アプリケーションソフトウエアの利用時間、すなわちアプリケーション利用部３４の稼働時間に応じて、全く同様に動作している。そこで、図７、図１２の各プログラムステップ（１１）〜（１７）は、それぞれインターネット利用部３３、アプリケーション利用部３４によって使用される共通のサブプログラムとして構成することができ、図３の表示制御部３６は、このサブプログラムに対応しているものとする。
【００５７】
なお、表示制御部３６による表示画面上のメイン領域Ｍ、広告領域Ｂの制御形態は、メイン領域Ｍ、広告領域Ｂをたとえば図８〜図１０のように順次遷移させる他、他の任意の形態を採用してもよい。たとえば、メイン領域Ｍの下方に帯状の広告領域Ｂを配置し（図２１）、インターネット利用部３３またはアプリケーション利用部３４の稼働時間の経過に従って、メイン領域Ｍの上方に追加する帯状の広告領域Ｂの幅を順次下向きに拡大させてもよい（同図の矢印方向）。また、メイン領域Ｍの左辺、下辺に沿うＬ字状の広告領域Ｂの幅を順次右向き、上向きに拡大させてもよい（図２２（Ａ）、（Ｂ））。さらに、メイン領域Ｍ内に不規則に移動する広告領域Ｂを配置し（図２３（Ａ））、広告領域Ｂの面積を順次拡大させてもよい（同図（Ｂ））。なお、広告領域Ｂは、時間の経過に従って段階的に拡大させてもよく、連続的に拡大させてもよい。
【産業上の利用可能性】
【００５８】
この発明は、公衆に対し、インターネットサービスに加えて、各種のアプリケーションソフトウエアの利用サービスを無料で即時に提供することができ、あらゆる公共の場所に配置して適切に稼動させることができる。
【符号の説明】
【００５９】
ＭＡ…利用者
Ｎ…インターネット
Ｓ…管理サーバ
Ｍ…メイン領域
Ｂ…広告領域
Ｂ1 …広告バナー
３２…管理制御部
３３…インターネット利用部
３４…アプリケーション利用部
３５…広告表示部
３６…表示制御部
特許出願人      株式会社  リニア・サーキット
【図１】
2014049071.tif 000003
【図２】
2014049071.tif 000004
【図３】
2014049071.tif 000005
【図４】
2014049071.tif 000006
【図７】
2014049071.tif 000007
【図１２】
2014049071.tif 000008
【図１６】
2014049071.tif 000009
【図２１】
2014049071.tif 000010
【図２２】
2014049071.tif 000011
【図２３】
2014049071.tif 000012
【図５】
2014049071.tif 000013
【図６】
2014049071.tif 000014
【図８】
2014049071.tif 000015
【図９】
2014049071.tif 000016
【図１０】
2014049071.tif 000017
【図１１】
2014049071.tif 000018
【図１３】
2014049071.tif 000019
【図１４】
2014049071.tif 000020
【図１５】
2014049071.tif 000021
【図１７】
2014049071.tif 000022
【図１８】
2014049071.tif 000023
【図１９】
2014049071.tif 000024
【図２０】
2014049071.tif 000025